(57)【特許請求の範囲】
【請求項１】
鉄筋コンクリートで形成された骨組及び前記骨組を形成する鋳型を含み、
前記鋳型は永久鋳型として用いられ、前記鉄筋コンクリートと一体化されて建物内外部の仕上げ材として用いられる韓屋仕上げ材であり、
前記韓屋仕上げ材は前記骨組と結合する側面に少なくとも一つ以上の結合部材を含み、前記結合部材は、コンクリートの打設時に、前記骨組と一体に形成され、前記結合部材は、前記鉄筋コンクリートの内部鉄筋とスターラップによって結合されることを特徴とする韓屋と木造住宅を現代建築に導入した建築構造。
【請求項２】
前記骨組が柱または梁である場合、前記韓屋仕上げ材は前記柱または前記梁が外部に露出される面と結合し、前記韓屋仕上げ材は板状に設けられることを特徴とする請求項１に記載の韓屋及び木造住宅を現代建築に導入した建築構造。
【請求項３】
前記骨組が壁体である場合、前記韓屋仕上げ材は壁体同士が会う内側角部分と結合し、前記韓屋仕上げ材は柱形に設けられることを特徴とする請求項１に記載の韓屋及び木造住宅を現代建築に導入した建築構造。
【請求項４】
板状の前記韓屋仕上げ材は内部角材と固定材によって結合されたり木組みされた木材が用いられることを特徴とする請求項２に記載の韓屋及び木造住宅を現代建築に導入した建築構造。
【請求項５】
前記韓屋仕上げ材が前記骨組と当接する部分は防水処理されることを特徴とする請求項１に記載の韓屋及び木造住宅を現代建築に導入した建築構造。
【請求項６】
前記韓屋仕上げ材に結合する貫と横木、これに結合する壁線をさらに含むことを特徴とする請求項２または３に記載の韓屋及び木造住宅を現代建築に導入した建築構造。
【請求項７】
前記貫は複数備えられ、前記貫の間には一般の鋳型を利用して前記鉄筋コンクリートが打設されることを特徴とする請求項６に記載の韓屋及び木造住宅を現代建築に導入した建築構造。
【請求項８】
前記貫の間には規格化、既製化された板壁を永久鋳型として用いて前記骨組と一体化されることを特徴とする請求項６に記載の韓屋及び木造住宅を現代建築に導入した建築構造。
【請求項９】
前記貫の間には一般の鋳型が撤去された後コンクリートまたは黄土で満たされ、根太には固定材を利用して板壁が形成されたり石膏などの仕上げで処理されることを特徴とする請求項６に記載の韓屋及び木造住宅を現代建築に導入した建築構造。
【請求項１０】
前記骨組の間には既製化された木造壁体が設けられ、前記鉄筋コンクリートはコンクリートの打設時に前記木造壁体と前記骨組が一体に形成されることを特徴とする請求項１に記載の韓屋及び木造住宅を現代建築に導入した建築構造。
【発明の詳細な説明】
【技術分野】
【０００１】
本発明は、韓屋及び木造住宅を現代建築に導入した建築構造に関する。さらに詳しくは、本発明は、韓屋の材料と木造壁体が骨組と一体化されて仕上げ材として用いられる韓屋及び木造住宅を現代建築に導入した建築構造に関する。
【背景技術】
【０００２】
最近、環境を考慮して韓国固有の韓屋や木造住宅に関する価値が浮き彫りになるにつれて韓屋及び韓屋式に建てられた建築物が増加している。
【０００３】
主材料である各種木材を鋸で切ったり鉋で削り、鑿で穴を掘るなど組み立てることができるように作る全般作業工程を木組みというが、これは高度の職人を必要とする工程であり、作業時間がたくさんかかるという欠点がある。
【０００４】
具体的には、韓屋や木造住宅は以下のような問題を有する。
【０００５】
まず、耐久性の問題がある。その中でも湿気に関する問題が深刻である。主要部材である木材は湿気に弱くて、重要部材である木材が腐るという問題が発生する。
【０００６】
第二に、韓屋や木造住宅を建築するためには、建築材料と工程の責任を負う大工が必要となり、材料を購入して現場で用途に合わせて加工しなければならないため、費用が増加し、長期間の工事期間が所要されるという問題がある。また、現場で部材を直接加工することにより精密度及び取り扱いもが低下するという問題が発生する。
【０００７】
第三に、建築構造的側面から木造部材に変形がたくさん発生して構造的に安定性が低下するという問題が発生する。また、自然木材の限られた構造耐力によって建物の高さ構築に限界点と空間創出に問題がある。
【発明の概要】
【発明が解決しようとする課題】
【０００８】
本発明は、上記した問題を解決するためのもので、湿度や火災及び乾燥変形に強く、韓屋及び木造住宅を現代建築に導入した建築構造を提供することをその目的とする。
【０００９】
また、韓屋仕上げ材を永久鋳型として用いて工事費用及び工事期間を短縮し、現代建築を導入して構造的安定性の増大により高層建築構造が可能な韓屋及び木造住宅を現代建築に導入した建築構造を提供することをその目的とする。
【課題を解決するための手段】
【００１０】
本発明の好ましい一実施形態である韓屋及び木造住宅を現代建築に導入した建築構造は、鉄筋コンクリートで形成された骨組及び上記骨組を形成する鋳型を含み、上記鋳型は永久鋳型として用いられ、上記鉄筋コンクリートと一体化されて建物内外部の仕上げ材として用いられる韓屋仕上げ材であり、上記韓屋仕上げ材は上記骨組と結合する側面に少なくとも一つ以上の結合部材を含み、上記結合部材は、コンクリートの打設時に、上記骨組と一体に形成され、上記結合部材は上記鉄筋コンクリートの内部鉄筋とスターラップによって結合されることを特徴とする。
【００１１】
好ましくは、上記骨組が柱または梁である場合、上記韓屋仕上げ材は上記柱または上記梁が外部に露出される面と結合し、上記韓屋仕上げ材は板状に設けられることができる。
【００１２】
好ましくは、上記骨組が壁体である場合、上記韓屋仕上げ材は壁体同士が会う内側角部分と結合し、上記韓屋仕上げ材は柱形に設けられることができる。
【００１３】
好ましくは、板状の上記韓屋仕上げ材は内部角材と固定材によって結合されるか木組みされた木材が用いられることを特徴とすることができる。
【００１４】
好ましくは、上記韓屋仕上げ材が上記骨組と当接する部分は、防水処理されることを特徴とすることができる。
【００１５】
好ましくは、上記韓屋仕上げ材に結合する貫と横木、これに結合する壁線をさらに含むことができる。
【００１６】
好ましくは、上記貫は複数備えられ、上記貫の間には一般の鋳型を利用して上記鉄筋コンクリートが打設されることを特徴とすることができる。
【００１７】
好ましくは、上記貫の間には規格化、既製化された板壁を永久鋳型として用いて上記骨組と一体化されることを特徴とすることができる。
【００１８】
好ましくは、上記貫の間には一般の鋳型が撤去された後コンクリートまたは黄土で満たされ、根太には固定材を利用して板壁が形成されるか石膏などの仕上げ材で処理されることを特徴とすることができる。
【００１９】
好ましくは、上記骨組の間には既製化された木造壁体が設けられ、上記鉄筋コンクリートはコンクリートの打設時に上記木造壁体と上記骨組が一体に形成されることを特徴とすることができる。
【発明の効果】
【００２０】
本発明の韓屋及び木造住宅を現代建築に導入した建築構造によれば、従来の工法において仕上げインテリア材料の接着により発生する室内環境汚染を防止し、木材及び黄土などの天然材料で仕上げて室内の湿度保持と室内環境改善効果を奏する。
【００２１】
また、鉄筋コンクリートまたはコンクリートの構造に損傷を与えることなく複合構造を一体化して構造的安定を図り、高層建物に韓屋構造を接合させることができるという効果を奏する。
【００２２】
また、韓屋仕上げ材を永久鋳型として用いて別途のインテリア工事をしないので、工期及び工事費用を短縮するという効果を奏する。
【図面の簡単な説明】
【００２３】
【図１】従来の韓屋内部構造を示す図面である。
【図２】従来の韓屋の壁体の構造を示す図面である。
【図３】本発明の好ましい実施例による角柱と板状の韓屋仕上げ材が結合される構造を示す図面である。
【図４】本発明の好ましい実施例による壁体の内側角と柱形の韓屋仕上げ材が結合される構造を示す図面である。
【図５】本発明の好ましい実施例による梁と板状の韓屋仕上げ材が結合される構造を示す図面である。
【図６】本発明の好ましい実施例による壁体で根太が結合される構造を示す図面である。
【図７】本発明の好ましい実施例による壁面と接した中間柱と板状の韓屋仕上げ材が結合される構造を示す図面である。
【図８】本発明の好ましい実施例による壁面と接しない中間柱と板状の韓屋仕上げ材が結合される構造を示す図面である。
【図９】本発明の好ましい実施例による階段と板状の韓屋仕上げ材が結合される構造を示す図面である。
【図１０】本発明の好ましい実施例による床の構造を示す図面である。
【図１１】図１０で根太がコンクリートまたは黄土と結合される構造を示す図面である。
【図１２】本発明の好ましい実施例による木造壁体が柱と結合される構造を示す図面である。
【図１３】本発明の好ましい実施例による木造壁体と柱の結合を正面から見た断面図である。
【発明を実施するための形態】
【００２４】
以下、本発明の好ましい実施例を添付された図面を参照して本発明の実施例による韓屋及び木造住宅を現代建築に導入した建築構造を詳しく説明する。まず、各図面の構成要素に参照符号を付ける際に、同じ構成要素については、たとえ他の図面上に表示されても同じ符号を付けてあることに留意すべきである。以下で本発明の好ましい実施例を説明するが、本発明の技術的思想はこれに限定されたり制限されることなく当業者によって変形されて多様に実施されることができることはもちろんである。
【００２５】
本発明の好ましい実施例による韓屋及び木造住宅を現代建築に導入した建築構造は、鉄筋コンクリートまたはコンクリートで形成された骨組及び上記骨組を形成する鋳型を含み、上記鋳型は永久鋳型として用いられ、上記鉄筋コンクリートまたはコンクリートと一体化されて建物内外部の仕上げ材として用いられる韓屋仕上げ材を含むことを特徴とする。
【００２６】
骨組の一実施例として、骨組は柱、梁、壁体、床及び階段などがある。骨組は鉄筋コンクリート（Ｒｅｉｎｆｏｒｃｅｄ  Ｃｏｎｃｒｅｔｅ）、コンクリート（ｃｏｎｃｒｅｔｅ）及びプレストレスコンクリート（Ｐｒｅｓｔｒｅｓｓｅｄ  Ｃｏｎｃｒｅｔｅ）など多様な方法で建設可能である。
【００２７】
韓屋及び木造住宅を現代建築に導入した建築構造は、骨組の施工時に韓屋または木造住宅の材料を鋳型の代わりに使用し、鉄筋コンクリートまたはコンクリートが硬化した後、鋳型の役割をした韓屋または木造住宅の材料を除去するのではなく、室内または屋外の仕上げ材と壁体の骨組みとして用いる。
【００２８】
また、韓屋または木造住宅の材料が用いられない部分は、一般の鋳型を利用して建築した後鋳型を除去する方法を用いたり、一般の鋳型の代わりに永久鋳型の板壁用鋳型を用いて一体化させる方法を用いる。韓屋及び木造住宅を現代建築に導入した建築構造は建物の建築時に別途の仕上げ材を用いないで、韓屋の材料または木造壁体を工事の開始から仕上げ材として用いる建築構造である。従って、韓屋仕上げ材が骨組と一体に形成されてインテリア工事期間を短縮することができ、木造壁体が骨組と一体になって結構部位の欠陥を予防し、工事期間を短縮することができる。
【００２９】
図１は通常の韓屋の内部構造を示す図であり、図２は従来の韓屋の壁体の構造を示す図であり、図３は本発明の好ましい実施例による角柱と板状の韓屋仕上げ材が結合される構造を示す図であり、図４は本発明の好ましい実施例による壁体同士が会う内側角部分と柱形韓屋仕上げ材が結合される構造を示す図面であり、図５は本発明の好ましい実施例による梁と板状の韓屋仕上げ材が結合される構造を示す図面であり、図６は本発明の好ましい実施例による壁体で根太が結合される構造を示す図である。
【００３０】
図１〜図６によれば、骨組が柱２００である場合、柱２００の一実施例で壁体４００と結合する角柱と建物の内部で建物の荷重を支持する中間柱とに分けられる。また、中間柱は、壁面と接する中間柱及び壁面と接しない中間柱に分けられる。
【００３１】
角柱または梁３００の場合、板状の韓屋仕上げ材１００と柱形の韓屋仕上げ材１００が用いられることができる。ここで、韓屋仕上げ材１００は韓屋や木造住宅で主な構造材である柱２００、梁３００、桁（図示しない）、横木１４４、貫１５０などを意味する。
【００３２】
板状の韓屋仕上げ材１００が用いられる柱２００または梁３００は、コンクリートまたは鉄筋コンクリートで打設される柱２００または梁３００と壁体４００、柱２００または梁３００が露出される部分と結合する板状の韓屋仕上げ材１００を含む。板状の韓屋仕上げ材１００は外部に露出される柱２００または梁３００の形状によって大きさが調節可能であり、内部の接合する角部分に角材１１０を当てて固定材１２０を利用して結合させる。また、板状の韓屋仕上げ材１００は、柱２００の形状に木組みされた木材が用いられることができる。一実施例として、固定材１２０は、角材１１０部分に互いに交差するように打ち込まれ、複数の韓屋仕上げ材１００を固定させることができる。
【００３３】
板状の韓屋仕上げ材１００が互いに当接する部分には、固定材１２０を利用して互いに結合することができる。固定材１２０は、一側の韓屋仕上げ材１００を貫通して他側の韓屋仕上げ材１００と結合する。建物の完成時に建物の外部に露出される仕上げ材の美観のために、固定材１２０が貫通して内側に陥没された部分には、木釘１６０を打ち込んで仕上げることができる。
【００３４】
一実施例として、角材１１０は、板状の複数の韓屋仕上げ材１００を固定させるための部材であり、アングルなどの金物を用いて実施することができ、固定材１２０は、釘やビスなど多様な種類の固定をするための材料を用いることができる。
【００３５】
柱形の韓屋仕上げ材１００が用いられる柱２００は、コンクリートまたは鉄筋コンクリートで打設される壁体４００同士が会う内側角内部分と結合する。柱形は円形または多角形などの多様な断面の形状を有することができる。
【００３６】
韓屋仕上げ材１００または木造壁体４６０の骨組みはコンクリートの打設時に一面がコンクリートと接したり一部が陥入されてコンクリートが硬化した後コンクリートの接着力によって一体化されることができる。
【００３７】
板または柱形の韓屋仕上げ材１００は、柱２００と結合する側面に少なくとも一つ以上の結合部材１３０を含むことができる。結合部材１３０は、韓屋仕上げ材１００に固定され、コンクリートの打設時に韓屋仕上げ材１００とコンクリートが堅固に結合するようにする。
【００３８】
また、鉄筋４１０コンクリートで柱２００または梁３００が打設される場合、鉄筋４１０コンクリートの内部鉄筋４１０と結合部材１３０が結合されることができる。一実施例として、内部鉄筋４１０と結合部材１３０はスターラップ４２０によって結合されることができる。
【００３９】
韓屋仕上げ材１００の一面には、貫１５０、横木１４４及び壁線１４０が備えられることができる。
【００４０】
貫１５０と横木１４４は柱２００の直角方向に形成され、柱２００の間隔を保持して壁体をなす柱２００に結構する。
【００４１】
壁線１４０は柱２００または梁３００の長さ方向に形成され、壁線１４０は、韓屋仕上げ材１００の外側一面と結合する。また、貫１５０と横木１４４の一面と結合する。一実施例として、壁線１４０は四角形の柱２００形状の木材で形成されることができ、設計形状に応じて多様な変形が可能である。
【００４２】
貫１５０には壁線１４０が結合されることができる。壁線１４０は貫１５０と垂直方向に結合し、複数備えられることができる。貫１５０は、上貫１５２、中貫１５４と下貫１５６に分類される。一実施例として、貫１５０は四角または円形断面の形状に備えられることができ、設計形状に応じて多様な変形が可能である。
【００４３】
韓屋仕上げ材１００、壁線１４０及び貫１５０がコンクリートと当接する部分はセメント水が染み込むことを防止するために防水材を利用して防水処理することができる。防水処理は木材が水を吸収して腐ったりねじれることを防止するためであり、コンクリートと一体化されることを妨害しない程度に調整されるべきである。一実施例として、防水材は、ステインが用いられることができ、木材を防水処理する技術思想の中で多様な材質で実施可能である。
【００４４】
韓屋仕上げ材１００、壁線１４０及び貫１５０は永久鋳型として用いられてコンクリートまたは鉄筋コンクリートと一体に結合されることができる。貫１５０と貫１５０との間には壁体４００を形成するための一般の鋳型（ＥＵＲＯＦＯＲＭ）が結合されて壁体４００の形状を形成し、壁体４００を形成した後除去されることができる。また、壁体４００は既製化、規格化された板壁用鋳型を用いて貫１５０に固定され、鉄筋コンクリートまたはコンクリートが打設されて骨組と一体化されて永久鋳型として使用可能である。
【００４５】
骨組の間に形成される壁体４００には複数の根太１７０が設けられることができる。複数の根太１７０は貫１５０の後面に固定されると同時に骨組に陥入されて一体化され、一般の鋳型が除去された後一面がコンクリートの外部に露出されて乾式仕上げ技法の下部支持枠に用いることができる。
【００４６】
この時、根太１７０は、壁仕上げの固定枠として用いることができる。鋳型の撤去後に露出された根太１７０には、釘などの固定材１２０を利用して板壁（図示しない）、石膏または天然材料板材などを固定することができる。
【００４７】
壁体４００に根太が設けられていない場合には、一般鋳型が除去された後コンクリート上塗りまたは黄土上塗り、その他の天然材料などの湿式仕上げ技法を利用することができる。
【００４８】
壁体４００に根太が設けられた場合には、板壁、石膏、その他天然材料の板材などの乾式法で多様な方法で仕上げることができる。
【００４９】
また、一般鋳型の代わりに板壁（図示しない）用鋳型は既製品や外部現場の組立品を利用して永久鋳型として用いてコンクリートの打設時に壁と一体に形成されるように構成することができる。
【００５０】
一般鋳型の代わりに板壁を規格化して生産して永久鋳型として用いることができる。
【００５１】
図７は本発明の好ましい実施例による壁面と接する中間柱と板状の韓屋仕上げ材が結合される構造を示す図であり、図８は本発明の好ましい実施例による壁に接しない中間柱と板状の韓屋仕上げ材が結合される構造を示す図である。
【００５２】
図７によれば、壁面に接した中間柱の場合、上記角柱と同様に突出された中間柱に板状の韓屋仕上げ材１００が永久鋳型として用いられたり、柱形の韓屋仕上げ材１００が永久鋳型として用いられてコンクリートと一体化されるように施工されることができる。
【００５３】
また、壁線１４０、横木１４４と貫１５０は上記柱２００と同じ方法で施工されることができる。
【００５４】
図８によれば、壁面と接しない中間柱の場合、板状の韓屋仕上げ材１００が四角管状に結合され、それぞれの韓屋仕上げ材１００は、角材１１０と固定材１２０を利用して結合することができる。また、上記角柱と同様に結合部材１３０と鉄筋４１０がスターラップ４２０によって結合されてコンクリートと韓屋仕上げ材１００の結合力を増大させることができ、コンクリートと接触面が防水処理されることができる。このような中間柱２００は、韓屋仕上げ材１００で形成された枠を永久鋳型として用いてコンクリートを打設することができ、韓屋仕上げ材１００とコンクリートが一体に形成される中間柱を形成することができる。
【００５５】
図９は、本発明の好ましい実施例による階段と板状の韓屋仕上げ材が結合される構造を示す図である。
【００５６】
図９によれば、骨組が階段５００である場合、韓屋仕上げ材１００は、階段５００の前面に位置する蹴上げ（前仕切り鋳型）５１０、及び階段５００の側面に位置する巾木（横仕切り鋳型）５２０を含む。
【００５７】
蹴上げ５１０と巾木５２０は木材が用いられ、蹴上げ５１０と巾木５２０が結合される部分が角材（図示しない）と固定材１２０によって結合されることができる。蹴上げ５１０の下部には木材の踏み板５４０を固定するための踏み板固定用木材５３０が結合される。蹴上げ５１０と巾木５２０は、階段本体５５０にコンクリートの打設時に永久鋳型として用いられ、完成後に木造階段５００の仕上げ材として活用される。蹴上げ５１０の一側面には結合部材１３０が結合され、階段本体５５０にコンクリートの打設時にコンクリートとの結合力を増大させることができる。また、蹴上げ５１０とコンクリートが結合される断面には、セメント水が染みこむことを防止するために防水材を利用して防水処理することができる。防水処理は木材が水を吸収して腐ったりねじれることを防止するためである。
【００５８】
コンクリートの打設後に階段５００と蹴上げ５１０、巾木５２０が一体化された後には蹴上げ５１０と踏み板固定用木材５３０の上部に踏み板５４０が置かれ、踏み板５４０は、固定材１２０によって蹴上げ５１０と踏み板固定用木材５３０に固定されることができる。
【００５９】
また、階段５００で巾木５２０と結合しない他面は一般鋳型が撤去された後蹴上げ５１０と踏み板固定用木材５３０、踏み板５４０を固定枠として利用して階段の側面に手すり（図示しない）などの韓屋型の手すりを設置することができる。一般的な踏み板５４０の上部に施工される手すりに比べて階段を広く使用することができ、上層の手すりと連結して構造的安定性を確保することができる。
【００６０】
図１０は本発明の好ましい実施例による根太が床と結合する構造を示す図であり、図１１は図１０で根太がコンクリートまたは黄土と結合する構造を示す図である。
【００６１】
図１０及び図１１によれば、床６００の根太１７０は、骨組の間で複数形成されることができ、骨組の完成後、床本体６１０の上部に設置されてコンクリートまたは黄土などの材料と一体に形成されることができる。
【００６２】
床本体６１０の上部には根太１７０が設置される。根太１７０の上部または間にボイラー配管と温水パイプが通過することができ、根太１７０を設置したり、付け加える方法でボイラー配管と温水パイプが設置されることができる。根太１７０とボイラー配管または温水パイプの間の部分は、コンクリート上塗り、黄土上塗りまたは黄土オンドル部屋のように純粋な黄土を固めることができる。
【００６３】
外部に露出された根太１７０には、釘などの固定材１２０を利用して床６２０が設置されることができる。従来、強化床、オンドル床または原木床を設置する時に接着施工をしていた。このような場合、接着材の有害成分が発生するが、釘などの固定材１２０を利用する場合、環境を汚染することなく施工することができる。
【００６４】
図１２は本発明の好ましい実施例による木造壁体が柱と結合される構造を示す図であり、図１３は本発明の好ましい実施例による木造壁体と柱の結合を正面から見た断面図である。
【００６５】
図１２〜図１３によれば、壁体４００が木材で構成される木造壁体４６０を示す。木造壁体４６０は、施工時には、上部スラブ４４０を支持するサポートの役割を果たし、永久鋳型として用いられて構造の完成後には仕上げのための骨組みに用いられて多様な仕上げ方法を導入することができる。骨組と当接する面には結合部材１３０を用いてコンクリートと一体化させることができる。また、骨組と一体化された骨組みの使用により防音、防水、断熱などの効果が大きい。
【００６６】
既製化された木造壁体４６０は、内外部の仕切りと非耐力壁として用いられて、内部仕切りだけではなく、外部の壁体としても用いられることができる。既製化された木造壁体４６０の使用により壁体が薄くなる効果があって、内部のスペースを広く活用し、工事費用と工事期間を短縮するという効果を奏する。
【００６７】
このように、耐力を受ける骨組をコンクリートまたは鉄筋コンクリートで打設して低層のみ施工された韓屋や木造住宅の欠点を改善して高層ビルでも韓屋の構造を有するように設計が可能である。
【００６８】
アパートのような建物の一部区域のみを韓屋の形式を有するように建築が可能である。例えば、トイレ、倉庫またはお風呂のように湿気にたくさん露出される部分は、コンクリート構造に設計し、リビングや部屋は伝統的な建築構造で設計が可能である。
【００６９】
また、低層の構造で全体を韓屋や木造住宅に施工する時、工事費用の負担により施工が難しくなる場合、メインルームなどの一部のみを韓屋構造や木造構造に施工し、残りは現代構造による施工法で施工することができる。この場合、互いに異なる構造の接続技法でコンクリートと一体化された韓屋仕上げ材や木造壁体を利用すれば、簡単で且つ欠陥なしに連結することができる。
【００７０】
以上で説明しなかった韓屋または木造住宅の材料であっても、本発明は材料に制限されなく、同じ建築構造を有する建築構造物には適用可能である。
【００７１】
本発明の好ましい実施形態である韓屋及び木造住宅を現代建築に導入した建築構造によれば、従来の工法で仕上げインテリア材料の接着により発生する室内環境汚染を防止し、木材と黄土などの天然材料で仕上げて、室内の湿度の保持及び室内の環境改善に役に立つことができる。
【００７２】
また、鉄筋コンクリートまたはコンクリートの構造に損傷を与えることなく複合構造を一体化して構造的安定を図り、高層建物に韓屋構造を接合させることができるという効果を奏する。
【００７３】
また、韓屋仕上げ材を永久鋳型として用いて別途のインテリア工事をしないので、工期と工事費用を短縮するという効果を奏する。
【００７４】
以上の説明は本発明の技術思想を例示的に説明したものに過ぎなく、本発明が属する技術分野において通常の知識を有する者であれば、本発明の本質的な特性から逸脱しない範囲で多様な修正、変更及び置換が可能ある。従って、本発明に開示された実施例及び添付された図面は本発明の技術思想を限定するものではなく説明するためのものであり、このような実施例及び添付図面によって本発明の技術思想の範囲が限定されるのではない。本発明の保護範囲は特許請求の範囲によって解釈されるべきであり、それと同等の範囲内にあるすべての技術思想は本発明の権利範囲に含まれるものと解釈すべきである。
【図１】
0006456973.tif 000002
【図２】
0006456973.tif 000003
【図３】
0006456973.tif 000004
【図４】
0006456973.tif 000005
【図５】
0006456973.tif 000006
【図６】
0006456973.tif 000007
【図７】
0006456973.tif 000008
【図８】
0006456973.tif 000009
【図９】
0006456973.tif 000010
【図１０】
0006456973.tif 000011
【図１１】
0006456973.tif 000012
【図１２】
0006456973.tif 000013
【図１３】
0006456973.tif 000014